(57)【要約】  ユーザ端末にフェムトセル基地局ステータス情報を送る方法であって、フェムトセル基地局が所与のステータスを取ったと判定すること、そのステータスを記述するテキスト文字列を含むメッセージを作成すること、およびユーザ端末で表示するために情報メッセージを送ることを自動的に含む方法が提供される。
2015519764.tif 000002
【特許請求の範囲】
【請求項１】
ユーザ端末（３４）にステータス情報（５２）を送る方法であって、フェムトセル基地局が自動的に、
ステータスを判定するステップと、
そのステータスを記述するテキスト文字列を含むメッセージ（４０）を作成するステップと、
前記ユーザ端末で表示するために前記メッセージを送るステップと
を含む方法において、
ステータス情報がフェムトセル基地局ステータス情報であり、
前記ステータスを判定するステップが、前記フェムトセル基地局が所与のステータスを取ったと判定するステップを含み、
前記メッセージを送るステップが、フェムトセル基地局のカバレッジ・エリア内のすべてのユーザ端末によって受信されるように前記メッセージをブロードキャストする（ｄ’）ステップを含むことを特徴とする方法。
【請求項２】
前記メッセージが、システム情報ブロック（ＳＩＢ）（３９、５１）を含むシステム情報ブロードキャストである請求項１に記載の方法。
【請求項３】
前記システム情報ブロックが、前記フェムトセル基地局の識別子（３９）および前記テキスト文字列（５１）を含む請求項２に記載の方法。
【請求項４】
前記メッセージが無線リソース制御（ＲＲＣ）メッセージである請求項１乃至３のいずれか１項に記載の方法。
【請求項５】
前記所与のステータスが、前記フェムトセル基地局のリソースが音声呼出しをサポートするには不十分であることである請求項１乃至４のいずれか１項に記載の方法。
【請求項６】
所与のステータスの識別器（３１）と、
前記ステータスを記述するテキスト文字列を含む送信用のメッセージの発生器（３３、３７）と、
前記メッセージを送信するように構成された送信機と
を備えるフェムトセル基地局（３０’）であって、
前記識別器が、前記フェムトセル基地局の前記所与のステータスを識別し、
前記送信機が、フェムトセル基地局のカバレッジ・エリア内のすべてのユーザ端末によって受信されるように前記メッセージをブロードキャストする（ｄ’）ことによって送信することを特徴とするフェムトセル基地局。
【請求項７】
前記発生器がシステム情報ブロック（ＳＩＢ）ビルダを備え、前記システム情報ブロックが前記テキスト文字列を含む請求項６に記載のフェムトセル基地局。
【発明の詳細な説明】
【技術分野】
【０００１】
本発明は電気通信に関し、詳細にはワイヤレス電気通信に関する。
【背景技術】
【０００２】
ワイヤレス電気通信システムはよく知られている。そのような多くのシステムは、セルと呼ばれる一団の無線カバレッジ・エリアによって無線カバレッジが提供されるという点でセルラ式である。無線カバレッジを提供する基地局が、各セル内に配置される。従来の基地局は、比較的大きい地理的エリア内のカバレッジを提供し、対応するセルは、しばしばマクロセルと呼ばれる。
【０００３】
マクロセル内により小型のセルを確立することが可能である。マクロセルよりも小さいセルは、小型セル、マイクロセル、ピコセル、またはフェムトセルと呼ばれることがあるが、本発明者らは、マクロセルよりも小さいセルを総称してフェムトセルという用語を用いる。フェムトセルを確立する一方法は、マクロセルのカバレッジ・エリア内の比較的限られた範囲内で動作するフェムトセル基地局を設けることである。フェムトセル基地局の使用の一例は、建築物内のワイヤレス通信カバレッジを提供することである。
【０００４】
フェムトセル基地局は比較的低い送信電力のものであり、したがって各フェムトセルは、マクロセルと比較して小さいカバレッジ・エリアのものである。典型的なカバレッジ範囲は数十メートルである。
【０００５】
フェムトセル基地局は、ユーザによるプラグアンドプレイ配備をサポートするように自動構成プロパティを有し、プラグアンドプレイ配置では、フェムト基地局は、例えばマクロセル・ネットワークのコア・ネットワークに接続するように、それ自体を既存のマクロセル・ネットワークに統合することができる。
【０００６】
フェムトセル基地局は、主に特定の家庭またはオフィスに属するユーザのためのものである。フェムトセル基地局は、プライベート・アクセスまたはパブリック・アクセスでよい。プライベート・アクセスであるフェムトセル基地局では、登録ユーザ、例えば家族の一員、または特定のグループの従業員のみに許されるようにアクセスが制限される。パブリック・アクセスであるフェムトセル基地局では、登録ユーザが受け取るサービス品質を保護するために場合によっては一定の制限下で、他のユーザもフェムトセル基地局を使用することができる。
【０００７】
フェムトセル基地局の周知の一タイプは、ブロードバンド・インターネット・プロトコル接続を「バックホール」として、すなわちコア・ネットワークに接続するために使用する。ブロードバンド・インターネット・プロトコル接続の一タイプはデジタル加入者線（ＤＳＬ）である。ＤＳＬは、フェムトセル基地局のＤＳＬ送受信機（「トランシーバ」）をコア・ネットワークに接続する。ＤＳＬは、フェムトセル基地局を介して提供される音声呼および他のサービスをサポートすることを可能にする。フェムトセル基地局はまた、無線通信用のアンテナに接続された無線周波数（ＲＦ）トランシーバをも含む。そのような有線ブロードバンド・バックホールの代替は、ワイヤレス・バックホールを有することである。
【０００８】
フェムトセル基地局はフェムトと呼ばれることがある。
【０００９】
フェムトは通常、ユーザ配備され、多くの場合、ユーザは、ユーザ自身でフェムトセルを購入し、配備しなければならない。ユーザがフェムトを購入する一般的な理由は、フェムトを配備すべき場所でそのユーザがマクロセル・カバレッジを得られないからである。したがって、このユーザは、フェムトによって提供されるサービス可用性に強い関心を有し、ユーザが期待するサービスをフェムトが提供することができないとき、いらいらし、困惑することがある。
【００１０】
この分散配備モデルのために、フェムト配備は、マクロセル基地局の配備と比べて追加の問題および誤りを伴うことがあり、したがって、フェムトは、代わりにそこにマクロセル基地局が配備された場合よりも、使用中の信頼性が低いことがある。モバイル・ネットワーク・オペレータは通常、フェムトを管理する直接の責任はなく、フェムトセル基地局が接続する、バックホールなどのネットワークの少なくともいくつかの他の部分の責任がある可能性も低いので、これは特にそうである。
【００１１】
フェムトが経験する可能性のある問題の典型的な例は、バックホールに伴う問題、例えば必要な帯域幅の不足、または使用可能な帯域幅のキャッピングを含む。他の問題は、フェムトセルが誤って構成または配置されること、アクセス制御違反、およびフェムトセルに同時にアクセスすることが許されるユーザ数の限界に達したためにユーザ端末がサービスを拒否されることを含むことがある。いくつかのこれらの問題は、ユーザ端末が呼を確立することができることを妨げ、またはユーザ端末が行うことのできる呼のタイプを限定することがある。
【００１２】
そのような問題があることをユーザに示すために、周知のフェムトセル基地局は、その外部ハウジング上に発光ダイオード（ＬＥＤ）を備える。ある組合せで発光することにより、フェムトセル基地局が直面する様々な問題がＬＥＤによって示される。
【発明の概要】
【発明が解決しようとする課題】
【００１３】
ほとんどの周知のフェムトセル基地局は少数のＬＥＤを含むだけであり、示すことのできる問題の数が限定され、その数は、フェムトセル基地局が経験する可能性の高い異なる問題の数よりも少ないことに本発明者らは気付いた。この周知の手法はまた、ユーザがフェムトまで行って視覚的にＬＥＤを調べることを必要とすることにも本発明者らは気付いた。この周知の手法はまた、ＬＥＤのうちのどれが発光するかということから、どんな問題が示されているかをユーザが解決することを必要とする。これは常に直感的であるわけではない。通常はＬＥＤ組合せおよびその意味がフェムトセル基地局の各タイプについて事前定義されるが、フェムトセル基地局の各タイプが、フェムトのＬＥＤ組合せがそれに対して適合されない、異なる問題を有する様々なネットワーク内で使用されることがあることにも本発明者らは気付いた。例えば、キャッピングされたバックホール帯域幅は、あるネットワーク内のフェムト性能にとって問題となることがあるが、別のネットワーク内では問題とはならないことがある。その結果、ＬＥＤ組合せは常に適切であるわけではないことになる。
【００１４】
いくつかの周知の接続拒絶メッセージ、例えば無線リソース制御（ＲＲＣ）タイプの接続拒絶メッセージでは、理由値が含まれるが、理由値の範囲が限定され、特別な知識がなければ有益ではないことにも本発明者らは気付いた。例えば、３ＧＰＰ技術仕様ＴＳ２５．３３１では、定義される理由値は２つだけであり、これらはそれぞれ「輻輳（congested）」および「不特定（unspecified）」を示す。この情報は非常に限定されるので、周知の手法は、上述のように、ＬＥＤに依存して誤りまたはステータスを示す傾向があった。
【００１５】
次に、読者は添付の独立請求項を参照されたい。いくつかの好ましい特徴が従属請求項に配置される。
【課題を解決するための手段】
【００１６】
本発明の一例は、ユーザ端末にフェムトセル基地局ステータス情報を送る方法であって、
フェムトセル基地局が所与のステータスを取ったと判定すること、
そのステータスを記述するテキスト文字列を含むメッセージを作成すること、および
ユーザ端末で表示するために情報メッセージを送ること
を自動的に含む方法である。
【００１７】
いくつかの好ましい実施形態は、ユーザ端末にフェムトセル基地局誤り情報を伝達する方法を提供する。好ましい実施形態は、なぜフェムトが通常のレベルのサービスを提供していないのかについての、理解するのが容易な表示または説明をユーザに堤供する。
【００１８】
いくつかの好ましい実施形態は、そのユーザ端末がフェムトセル基地局への接続を試みたが、失敗したユーザに、有用な情報を提供する。好ましい実施形態は、この情報を拒絶メッセージまたはリリース・メッセージで提供する。この情報は、フェムト所有者またはネットワーク・オペレータがフェムトの構成時に定義することのできるフリー・フォーマット・テキスト文字列からなる。いくつかの好ましい実施形態では、なぜ呼が拒絶されたかなどに関する良好または有用な情報をユーザに提供するように、このテキスト文字列を受信するユーザ端末がこのテキスト文字列を表示する。
【００１９】
好ましい実施形態では、特定のネットワーク・オペレータまたはフェムト所有者の要求に応じて、テキスト文字列内の情報が直ちに修正、更新、および調整される。例えば、テキスト文字列は、どこにフェムトが配備されるかに基づいて、任意の特別な状況を反映することができる。例えば、ある配備では、過剰な使用のためにユーザまたはフェムト所有者のバックホール帯域幅がキャッピングされることがあり、したがって一時の間、さらなる呼は成功せず、ユーザはテキスト文字列でこの通知を受ける。例えば、ある他の配備では、バックホールの過剰な使用の結果、追加の料金が生じることがあり、ユーザは、テキスト文字列でそれについて通知を受ける。次いでユーザは、その時に呼を引き続き行うかどうかを決定することができる。
【００２０】
ＬＥＤが何を示すことができるかを変更する必要がなく、さらなる理由値を追加しようと試みることによって既存の標準化メッセージを変更する必要もないので、好ましい実施形態は柔軟で効率的である。
【００２１】
いくつかの実施形態では、フェムトは、そのカバレッジ・エリア内のすべてのユーザ端末にステータス情報をブロードキャストする。ステータス・テキスト文字列は、システム情報ブロック（System Information Block）内に含まれる。テキスト文字列は、フェムトセル基地局のステータスを記述するためにユーザまたはオペレータが設定することのできるフリー・フォーマット・テキストである。
【００２２】
好ましい実施形態は、フェムトセル基地局を使用して呼を行おうと試みるときにエンド・ユーザがなぜ問題に直面している可能性があるかに関して、エンド・ユーザに、有用で、理解するのが容易な情報を提供する。好ましい実施形態は、ユーザにこの情報を直接的に提供するための柔軟な方法を提供する。情報は、特定のネットワークまたはフェムト配備の特定の要件に合致するように調整することができる。
【００２３】
次に、例として、図面を参照しながら、本発明の実施形態を説明する。
【図面の簡単な説明】
【００２４】
【図１】本発明の第１の実施形態によるワイヤレス通信ネットワークを示す図である。
【図２】図１に示す１つのマクロセル内の例示的フェムトセル基地局配備を示す図である。
【図３】図２に示すフェムトの１つおよびユーザ端末を示す図である。
【図４】図３に示すフェムトとユーザ端末との間の通信を示すメッセージ・シーケンス図である。
【図５】図４に示すメッセージングの部分として提供される無線リソース制御（ＲＲＣ）拒絶メッセージの図である。
【図６】本発明の第２の実施形態によるフェムトおよびユーザ端末を示す図である。
【図７】図６に示すフェムトとユーザ端末との間の通信を示すメッセージ・シーケンス・ダイアグラムである。
【図８】図７に示すメッセージングの部分として提供されるメッセージングの部分としてシステム情報ブロードキャストで送られるシステム情報ブロック（ＳＩＢ）の図である。
【発明を実施するための形態】
【００２５】
フェムトセル基地局を含む例示的ネットワークをまず説明し、次いでユーザ端末にフェムト・ステータスについての情報を提供することを調べる。
【００２６】
ネットワーク
図１および２に示すように、ユーザ端末３４がそれを通じてローミングすることのできるワイヤレス通信用のネットワーク１０が、２つのタイプの基地局、すなわちマクロセル基地局およびフェムトセル基地局を含む（後者は「フェムト」と呼ばれることがある）。簡単にするために、図１および２では１つのマクロセル基地局２２を示す。各マクロセル基地局は、しばしばマクロセルと呼ばれる無線カバレッジ・エリア２４を有する。マクロセル２４の地理的範囲は、マクロセル基地局２２の能力および周囲の地形に依存する。
【００２７】
マクロセル２４内で、各フェムトセル基地局３０は、対応するフェムトセル３２内のワイヤレス通信を提供する。フェムトセルは無線カバレッジ・エリアである。フェムトセル３２の無線カバレッジ・エリアは、マクロセル２４の無線カバレッジ・エリアよりもずっと小さい。例えば、フェムトセル３２のサイズは、ユーザのオフィスまたは家庭に対応する。
【００２８】
図１に示すように、ネットワーク１０は、無線ネットワーク・コントローラ、ＲＮＣ、１７０によって管理される。無線ネットワーク・コントローラ、ＲＮＣ、１７０は、例えばバックホール通信リンク１６０を介してマクロセル基地局２２と通信することにより、動作を制御する。無線ネットワーク・コントローラ１７０は、基地局によってサポートされるセル間の地理的関係についての情報を含むネイバー・リストを維持する。さらに、無線ネットワーク・コントローラ１７０は、ワイヤレス通信システム１０内のユーザ機器の位置に関する情報を提供する位置情報を維持する。無線ネットワーク・コントローラ１７０は、回線交換網およびパケット交換ネットワークを介してトラフィックをルーティングするように動作可能である。回線交換トラフィックについて、無線ネットワーク・コントローラ１７０がそれと通信することができるモバイル交換センタ２５０が設けられる。モバイル交換センタ２５０は、公衆交換電話網（ＰＳＴＮ）２１０などの回線交換網と通信する。パケット交換トラフィックについて、ネットワーク・コントローラ１７０は、サービング一般パケット無線サービス・サポート・ノード（ＳＧＳＮ）２２０およびゲートウェイ一般パケット無線サポート・ノード（ＧＧＳＮ）１８０と通信する。次いで、ＧＧＳＮは、例えばインターネットなどのパケット交換コア１９０と通信する。
【００２９】
ＭＳＣ２５０、ＳＧＳＮ２２０、ＧＧＳＮ１８０、およびオペレータＩＰネットワークは、いわゆるコア・ネットワーク２５３を構成する。ＳＧＳＮ２２０およびＧＧＳＮ１８０は、オペレータＩＰネットワーク２１５によってフェムトセル・コントローラ／ゲートウェイ２３０に接続される。
【００３０】
フェムトセル・コントローラ／ゲートウェイ２３０は、インターネット１９０を介してフェムトセル基地局３０に接続される。フェムトセル・コントローラ／ゲートウェイ２３０へのこれらの接続は、ブロードバンド・インターネット・プロトコル接続（「バックホール」）接続である。
【００３１】
図２では、簡単にするために、３つのフェムトセル基地局３０および対応するフェムトセル３２を示す。
【００３２】
マクロセル２４内のモバイル端末３４が周知の方式でマクロセル基地局２２と通信することが可能である。モバイル端末がフェムトセル基地局３０内の通信のために登録されるフェムトセル３２内にモバイル端末３４が入ったとき、モバイル端末との接続をマクロセルからフェムトセルにハンドオーバすることが望ましい。図２に示す例では、モバイル端末３４のユーザは、フェムトセル３２のうちの最も近いもの３２’の好ましいユーザである。
【００３３】
図２に示すように、フェムトセル基地局３０は、ブロードバンド・インターネット・プロトコル接続（「バックホール」）３６を介して、コア・ネットワーク（図２には図示せず）に、したがって電気通信「世界」の残りの部分（図２には図示せず）に接続される。デジタル加入者線（ＤＳＬ）バックホールとしても知られている「バックホール」接続３６は、コア・ネットワーク（図示せず）を通じてフェムトセル基地局３０間の通信を可能にする。マクロセル基地局もコア・ネットワークに接続される（図２には図示せず）。
【００３４】
接続を要求するユーザ端末にフェムトのステータスに関する情報を提供する
図３に示すように、各基地局３０は、テキスト文字列フォーマッタ１３に接続されるフェムト・ステータス識別器１１を含む。ステータス識別器１１は、接続要求ハンドラ１５にも接続される。テキスト文字列フォーマッタ１３と接続要求ハンドラ１５はどちらも、接続要求拒絶メッセージ・ビルダ１７に接続される。
【００３５】
ステータス識別器１１は、フェムトの現ステータスを追跡し、現ステータスに関する情報をテキスト文字列フォーマッタ１３に提供するように動作する。テキスト文字列フォーマッタは、受信した現ステータスに関連するテキスト文字列を所定のリストから選択する。所定のリストは、フェムトについての有用な情報を提供するテキスト文字列の選択を可能にする。フェムトがどのように、どこに配備されるかに応じて、フェムト所有者またはネットワーク・オペレータによるカスタマイズのプロセスによって所定のリストを生成することができる。
【００３６】
前述のように、フェムト３０はデジタル加入者線（ＤＳＬ）バックホール３６を含む。バックホール３６は、同一エリア内のパーソナル・コンピュータやラップトップなどの他の装置と共有される。この例示的シナリオでは、それらの他の装置によるバックホールの大量の使用のために、フェムトはその時、ユーザ端末への音声呼の確立をサポートすることができない。
【００３７】
プロセスは以下のように着手され、図３および４を参照しながら説明される。
【００３８】
図４に示すように、ユーザ端末３４は、フェムト３０に無線リソース制御（ＲＲＣ）接続要求を送る（ステップａ）ことによって音声呼セットアップを要求する。
【００３９】
フェムト３０内の接続要求ハンドラ１５が、受信したＲＲＣ接続要求メッセージ内の確立理由フィールドを検査し、どんなタイプのサービスをユーザ端末３４が要求しているかを判定する（ステップｂ）。この例では、ユーザ端末は、回線交換音声呼出しを行うことを望む。
【００４０】
フェムト３０は、利用可能なバックホール帯域幅の量が、要求された呼をサポートするには不十分であると判定する（ステップｃ）。具体的には、ステータス識別器１１は、利用可能なバックホール帯域幅は要求された呼をサポートするには不十分であることを示すステータスに関する情報を、接続拒絶ハンドラ１５およびテキスト文字列フォーマッタ１３に提供する（ステップｄ）。テキスト文字列フォーマッタ１３は、ユーザ端末に送り戻すために、関連するテキスト文字列を接続拒絶メッセージ・ビルダ１７に提供する（ステップｅ）。
【００４１】
フェムト３０の接続拒絶メッセージ・ビルダ１７は、ＲＲＣ拒絶メッセージ内にテキスト文字列を含め（ステップｆ）、フェムトは、ユーザ端末３４にＲＲＣ拒絶メッセージを送る（ステップｇ）。
【００４２】
ユーザ端末３４は、メッセージがテキスト文字列を含むことを認識し、したがってユーザ端末のユーザが見るためにテキスト文字列を表示する（ステップｈ）。
【００４３】
この例では、テキスト文字列は「音声呼のための帯域幅が不十分（Insufficient bandwidth for a voice call）」である。
【００４４】
いくつかの他の同様の例では、テキスト文字列は他の問題、例えば、バックホールに伴う問題、例えば、必要な帯域幅の不足、または例えば、所与の期間内の帯域幅使用に関する許されるキャップに達したことを示すことができる。その言い回しに応じて、テキスト文字列は、例えば、フェムトが誤って構成されること、アクセス制御違反が生じたこと、またはフェムトに同時にアクセスすることが許されるユーザ数に関する限度に達したことを示すことができる。
【００４５】
この例では、フェムトは、ユニバーサル移動通信システム（ＵＭＴＳ）フェムトである。
【００４６】
いくつかの他の類似の例では、フェムトは、ロング・ターム・エボリューション（ＬＴＥ）フェムトである。
【００４７】
図５に示すように、ＲＲＣ拒絶メッセージ４０は、メッセージ・タイプ・フィールド４２、無線リソース制御（ＲＲＣ）トランザクション識別子４４、初期ユーザ端末識別子４６、輻輳または不特定を示す拒絶理由フラグ４８、待機タイマ５０、およびフェムトのステータスを示すフリー・フォーマット・テキスト文字列５２、例えば「音声呼のための帯域幅が不十分」に関するフィールドを含む。
【００４８】
いくつかの例では、特定のネットワーク・オペレータまたはフェムト所有者の要求に応じて、テキスト文字列内の情報が直ちに修正、更新、および調整される。例えば、テキスト文字列は、どこにフェムトが配備されるかに基づいて、任意の特別な状況を反映することができる。例えば、ある配備では、過剰な使用のためにフェムトのバックホール帯域幅がキャッピングされることがあり、したがって一時の間、さらなる呼は成功しないことについて、ユーザは通知を受ける。例えば、いくつかの他の配備では、バックホールの過剰な使用の結果、追加の料金が生じることがあり、テキスト文字列を使用して、ユーザはそれについて通知を受ける。次いでユーザは、その時に呼を引き続き行うかどうかに関する通知された決定を行うことができる。
【００４９】
フェムトセル内のユーザ端末にフェムト・ステータス情報をブロードキャストする
図６に示すように、さらなる例では、フェムトは、そのカバレッジ・エリア内のすべてのユーザ端末にステータス情報をブロードキャストする。具体的には、ステータス・フィールドがシステム情報ブロック（ＳＩＢ）内に含まれる。このフィールドが、フェムト・ステータス情報を与えるフリー・フォーマット・テキスト文字列を搬送するのに使用される。
【００５０】
システム情報ブロードキャストは、複数のシステム情報ブロックからなり、フェムトのカバレッジ・エリア内の任意のユーザ端末によって受信されるようにフェムトによってブロードキャストされる。システム情報ブロードキャストは、フェムトを識別し、どのようにユーザ端末によってフェムトにアクセスすることができるかを示す。
【００５１】
このユニバーサル移動通信システム（ＵＭＴＳ）の例では、システム情報ブロードキャストは、少なくとも２０個のシステム情報ブロック（ＳＩＢ）を含み、ＳＩＢ２０と表される２０番目のＳＩＢが、テキスト文字列を搬送するのに使用される。
【００５２】
ＳＩＢ２０を受信および復号化する各ユーザ端末では、テキスト文字列が抽出され、ユーザ端末のユーザが見るために表示される。
【００５３】
この手法は、何らかの根本的な理由、例えばフェムトが他のユーザ端末によって全負荷状態であるため、またはバックホール帯域幅が利用可能ではないために、ユーザ端末がフェムトに接続しようと試みることさえできないときに、特に有用であることがある。もちろん、この手法では、フェムトによってカバレッジ・エリア内の複数のユーザ端末に同時に通信される。
【００５４】
図６に示すように、この例では、フェムト３０’は、テキスト文字列フォーマッタ３３に接続されたステータス識別器３１を含み、テキスト文字列フォーマッタ３３はシステム情報ブロック・ビルダ３７に接続される。
【００５５】
図７に示すように、この例示的シナリオでは、第１のユーザ端末３４’が、フェムト３０’との無線リソース制御（ＲＲＣ）接続を首尾よく確立し（ステップａ’）、したがってフェムトに同時に接続することのできるユーザ端末の最大数に達する（ステップｂ’）。さらなるユーザ端末がフェムトを介してコア・ネットワークの残りの部分に対するアクティブな接続を確立することを試みる場合、その試行は失敗する。
【００５６】
フェムト３０’では、ブロードキャストのためにＳＩＢが作成される（ステップｃ’）。具体的には、ステータス識別器３１は、現ステータスの記録を保つことにより、フェムトのステータスを追跡する。ステータス変更時に、ステータス識別器３１は、そのステータスに関する情報をテキスト文字列フォーマッタ３３に提供し、この例では、テキスト文字列フォーマッタ３３は、所定のリストから適切なテキスト文字列を選択する。テキスト文字列はＳＩＢビルダ３７に提供され、ＳＩＢビルダ３７は、テキスト文字列を含むＳＩＢを生成する。
【００５７】
次いで、ＳＩＢは、フェムト３０’の無線カバレッジ・エリア内のすべてのユーザ端末にブロードキャストされる（ステップｄ’）。
【００５８】
ＳＩＢを受信する各ユーザ端末では、テキスト文字列が抽出され、各ユーザ端末のそれぞれのユーザが見るために表示される（ステップｅ’）。
【００５９】
この例では、表示されたテキスト文字列は、同時に接続することのできるユーザ端末の最大数に達したことを示す。例えば、テキスト文字列は、「接続されるＵＥの最大数」でよく、それによって、なぜユーザがユーザ自身で呼を現在確立することができないのかについての明確な表示をユーザに与える。
【００６０】
ホームＮｏｄｅＢ名３９（言い換えれば，フェムト識別子）およびテキスト文字列４１からなるＳＩＢの一例が図８に示されている。
【００６１】
別の例では、基本的には類似しているが、ロング・ターム・エボリューション（ＬＴＥ）と一致する別の例では、フェムト・ステータスに関するテキスト文字列を送るのにＳＩＢ９が使用される。
【００６２】
一般
本発明の不可欠な特徴から逸脱することなく、他の特定の形態で本発明を実施することができる。記載の実施形態は、すべての点で限定的なものではなく、単に例示的なものとみなされるべきである。したがって、本発明の範囲は、上記の説明ではなく、添付の特許請求の範囲によって示される。特許請求の範囲の均等の意味および範囲内のすべての変更は、その範囲内に包含されるべきである。
【００６３】
様々な上述の方法のステップをプログラムされたコンピュータで実施できることを、当業者なら直ちに理解されよう。いくつかの実施形態は、機械可読またはコンピュータ可読であり、命令の機械実行可能またはコンピュータ実行可能プログラムを符号化するプログラム記憶装置、例えばデジタル・データ記憶媒体に関し、前記命令は、前記上述の方法のステップの一部またはすべてを実施する。プログラム記憶装置は、例えば、デジタル・メモリ、磁気ディスクや磁気テープなどの磁気記憶媒体、ハード・ドライブ、または光学的に可読なデジタル・データ記憶媒体でよい。いくつかの実施形態は、上述の方法の前記ステップを実施するようにプログラムされたコンピュータを含む。
【図１】
2015519764.tif 000003
【図２】
2015519764.tif 000004
【図３】
2015519764.tif 000005
【図４】
2015519764.tif 000006
【図５】
2015519764.tif 000007
【図６】
2015519764.tif 000008
【図７】
2015519764.tif 000009
【図８】
2015519764.tif 000010
【国際調査報告】
2015519764.tif 000011
2015519764.tif 000012
2015519764.tif 000013